(57)【要約】【課題】手すり棒を安全に支持する手すりブラケットを提供する。【解決手段】ブラケット３は、台座４と、台座４にスライド自在に支持されるブラケット本体５とを備えている。台座４は、壁面に固定される座部９と筒部１０とを有する台座本体６と、カバー７とを備えている。ブラケット本体５は、手すり棒２を支持するための受け部１２と、受け部１２を支持するアーム部１３とを備えている。筒部１０には、第１の溝３１と第２の溝とが形成されている。第１の溝３１は、筒部１０の表側端から裏側端まで延びている。一方、第２の溝は、筒部１０の裏側端から裏側端と表側端との間の中途部まで延びている。第１の溝３１および第２の溝３２は、それぞれ４本ずつ形成され、周方向に等間隔に配置されている。アーム部１３の先端側には軸部１４が形成されており、軸部１４の先端部には径方向外側に突出する４つの突出部１５ａからなるフランジ１５が形成されている。【選択図】図２
2008202340.tif 000002
【特許請求の範囲】
【請求項１】
壁面に手すり棒を取り付けるための手すりブラケットであって、
前記壁面に交差する方向に延びる断面略円形の孔と、前記孔内で前記方向に延びる取り付け溝とが形成された筒部を有し、前記壁面に固定される台座と、
前記手すり棒を保持する受け部と、前記受け部を支持するとともに、先端側が前記筒部の前記孔内に挿入されたアーム部と、前記アーム部の先端部において前記アーム部の半径方向外側に突出し、前記筒部の軸方向にスライド自在かつ前記孔内で回転不能なように前記取り付け溝に係合する突出部と、を有するブラケット本体と、
前記アーム部を前記台座に固定する固定具と、
を備えた手すりブラケット。
【請求項２】
請求項１に記載の手すりブラケットにおいて、
前記筒部は、前記壁面側に位置する裏側端および前記壁面と反対側に位置する表側端のいずれもが開口しており、
前記取り付け溝は、前記表側端から前記裏側端に渡って形成された第１の溝と、前記裏側端から前記表側端と前記裏側端との間の中途部にまで形成された第２の溝とを含んでいる手すりブラケット。
【請求項３】
請求項２に記載の手すりブラケットにおいて、
前記突出部を複数有し、
前記第１の溝および前記第２の溝は、それぞれ前記突出部と同数ずつ形成され、
前記複数の突出部は、前記アーム部の周方向に等間隔に配置され、
前記複数の第１の溝は、前記筒部の周方向に等間隔に配置され、
前記複数の第２の溝は、前記筒部の周方向に等間隔に配置されている、手すりブラケット。
【請求項４】
請求項２に記載の手すりブラケットであって、
前記突出部を４つ有し、
前記第１の溝および前記第２の溝は、それぞれ４本ずつ形成され、
前記４つの突出部は一体的に形成されて略正方形状のフランジを構成し、
前記４本の第１の溝は、前記筒部の周方向に等間隔に配置され、
前記４本の第２の溝は、前記４本の第１の溝のそれぞれを前記筒部の軸回りに略４５度回転させた位置に配置され、
前記孔と前記４本の第１の溝とにより、前記筒部の表側に略正方形状の表側孔が形成され、
前記孔と前記４本の第１の溝と前記４本の第２の溝とにより、前記筒部の裏側に略八角形状の裏側孔が形成されている、手すりブラケット。
【発明の詳細な説明】
【技術分野】
【０００１】
本発明は、壁面に手すり棒を設置するための手すりブラケットに関するものである。
【背景技術】
【０００２】
以前より、壁面に手すり棒を設置するための手すりブラケットが用いられている。また、手すりブラケットの中には、例えば、壁面に凹凸があるために、場所により手すり棒と壁面との距離が異なるような場合であっても、手すり棒を曲げることなく取付可能に構成されたものがある（例えば、特許文献１または２参照）。
【０００３】
この種の手すりブラケットは、手すり棒を支持する受け部と、受け部を支持するアーム部と、アーム部を壁に取り付ける台座とを備えている。台座は、壁面と直交する方向に延びる筒部とを備えている。また、アーム部の先端側には略円筒形状または略円柱形状の軸部が形成され、軸部は筒部内に挿通されている。このような構成により、アーム部の軸部を筒部に対して軸方向に自在にスライドさせることにより、上記手すりブラケットは、出幅（受け部と壁面との平面視における距離）を自在に調節することができる。したがって、上記手すりブラケットによれば、手すり棒を取り付ける壁面に凹凸があっても、手すり棒を曲げることなく壁面に平行に取り付けることができる。
【特許文献１】実用新案登録第３０７０８３０号公報
【特許文献２】特開２００３−９７００７号公報
【発明の開示】
【発明が解決しようとする課題】
【０００４】
特許文献１および特許文献２に記載された手すりブラケットでは、アーム部の軸部と筒部とが相対回転可能な様に構成されている。そして、アーム部の筒部に対する位置を決定した後、固定ねじを軸部の外面に押し付けて、軸部と筒部とが軸方向および周方向に相対移動しない様に固定することとしている。
【０００５】
しかしながら、例えば、人が手すり棒に寄りかかった場合等、受け部を支持するアーム部には、大きな回転モーメントがかかる。このような場合、上記手すりブラケットでは、略円筒形状または略円柱形状の軸部であるため、固定ねじの先端部が軸部の外面上を周方向に滑り、受け部およびアーム部が回転してしまうというおそれがあった。そのため、上記手すりブラケットでは、このような場合に手すり棒を安定して支持することができず、安全性に欠けていた。
【０００６】
本発明は、かかる点に鑑みてなされたものであり、その目的とするところは、手すり棒を安全に支持する手すりブラケットを提供することにある。
【課題を解決するための手段】
【０００７】
本発明に係る手すりブラケットは、前記壁面に交差する方向に延びる断面略円形の孔と、前記孔内で前記方向に延びる取り付け溝とが形成された筒部を有し、前記壁面に固定される台座と、前記手すり棒を保持する受け部と、前記受け部を支持するとともに、先端側が前記筒部の前記孔内に挿入されたアーム部と、前記アーム部の先端部において前記アーム部の半径方向外側に突出し、前記筒部の軸方向にスライド自在かつ前記孔内で回転不能なように前記取り付け溝に係合する突出部と、を有するブラケット本体と、前記アーム部を前記台座に固定する固定具と、を備えたものである。
【０００８】
上記手すりブラケットでは、アーム部の先端部に設けられた突出部は、筒部の取り付け溝と軸方向にスライド自在に係合している。このような構成により、突出部を取り付け溝に沿って軸方向にスライドさせると、ブラケット本体が台座に対して軸方向にスライド移動する。これにより、手すりブラケットは、軸方向長さを自在に調整可能に構成されることとなる。そのため、上記手すりブラケットによれば、手すりブラケットの出幅（受け部と壁面との平面視における距離）を自在に調整することが可能となる。そのため、上記手すりブラケットによれば、手すり棒を取り付ける壁面に凹凸があっても、手すり棒と壁面との距離を自在に調節し、手すり棒を曲げることなく壁面と平行に取り付けることができる。
【０００９】
さらに、上記手すりブラケットでは、アーム部の先端部に設けられた突出部は、取り付け溝と回転不能に係合する。そのため、突出部を取り付け溝に係合させることにより、ブラケット本体の台座に対する相対回転を規制することができる。これにより、例えば、人が手すり棒に寄りかかり、アーム部に大きな回転モーメントがかかった場合であっても、アーム部が回転することを規制することができる。したがって、上記手すりブラケットによれば、手すり棒を安定させることが可能となり、手すり棒を安全に支持することができる。
【００１０】
前記筒部は、前記壁面側に位置する裏側端および前記壁面と反対側に位置する表側端のいずれもが開口しており、前記取り付け溝は、前記表側端から前記裏側端に渡って形成された第１の溝と、前記裏側端から前記表側端と前記裏側端との間の中途部にまで形成された第２の溝とを含んでいることが好ましい。
【００１１】
上記手すりブラケットによれば、第２の溝は、筒部の裏側端から表側端と裏側端との間の中途部までしか形成されておらず、表側端までは至らない。そのため、筒部の表側端と裏側端との間の中途部には第２の溝の終端部によって段差が生じることとなる。これにより、突出部を第２の溝に係合させた場合、突出部は軸方向にスライド自在であるが、当該段差によって段差より表側へスライド移動しない様に規制される。したがって、上記手すりブラケットによれば、簡単な構成により、出幅を調整することができ、かつ、ブラケット本体が筒部から抜けることを防止することができる。
【００１２】
なお、上記手すりブラケットには、筒部の表側端から裏側端に渡って形成された第１の溝が形成されている。また、筒部は裏側端および表側端のいずれもが開口している。このような構成により、まず、突出部を第１の溝と係合させて筒部の表側端から裏側端までスライド移動させた後、一旦、筒部の裏側端から外部へ押し出してアーム部を回転させることで、突出部を第２の溝に係合させることができる。このようにして、上記手すりブラケットによれば、第１の溝および第２の溝により出幅調整が可能となり、また、ブラケット本体が筒部から抜けることを防止することができる。
【００１３】
また、突出部を第２の溝に係合させることにより、ブラケット本体を台座に対して相対回転しない様に規制することができるため、アーム部の回転を規制することができる。したがって、上記手すりブラケットによれば、手すり棒を安定させることが可能となり、手すり棒を安全に支持することができる。
【００１４】
前記突出部を複数有し、前記第１の溝および前記第２の溝は、それぞれ前記突出部と同数ずつ形成され、前記複数の突出部は、前記アーム部の周方向に等間隔に配置され、前記複数の第１の溝は、前記筒部の周方向に等間隔に配置され、前記複数の第２の溝は、前記筒部の周方向に等間隔に配置されていることが好ましい。
【００１５】
上記手すりブラケットによれば、複数の突出部と、複数の第１の溝または第２の溝とが係合することによりブラケット本体と筒部との相対回転がより規制される。そのため、アーム部に大きなモーメントがかかった場合であっても、より安定的に手すり棒を支持することが可能となる。したがって、上記手すりブラケットによれば、手すり棒をより安全に支持することができる。
【００１６】
前記突出部を４つ有し、前記第１の溝および前記第２の溝は、それぞれ４本ずつ形成され、前記４つの突出部は一体的に形成されて略正方形状のフランジを構成し、前記４本の第１の溝は、前記筒部の周方向に等間隔に配置され、前記４本の第２の溝は、前記４本の第１の溝のそれぞれを前記筒部の軸回りに略４５度回転させた位置に配置され、前記孔と前記４本の第１の溝とにより、前記筒部の表側に略正方形状の表側孔が形成され、前記孔と前記４本の第１の溝と前記４本の第２の溝とにより、前記筒部の裏側に略八角形状の裏側孔が形成されていることが好ましい。
【００１７】
上記手すりブラケットによれば、略正方形状のフランジが４本の第１の溝または４本の第２の溝と係合するため、ブラケット本体が筒部にバランスよく支持される。したがって、上記手すりブラケットによれば、手すり棒をより安全に支持することができる。
【発明の効果】
【００１８】
本発明によれば、手すり棒を安全に支持する手すりブラケットを提供することが可能となる。
【発明を実施するための最良の形態】
【００１９】
以下、本発明の実施形態を図面に基づいて詳細に説明する。
【００２０】
図１は、本実施形態に係る手すり１の構成を示す平面図である。まずは、図１を参照して、本実施形態に係る手すり１の構成について詳述する。
【００２１】
《手すり１の構成》
手すり１は、手すり棒２と、手すり棒２を壁面Ｗに取り付けるための手すり棒２用のブラケット３とを備えている。なお、ブラケット３の個数や取付位置は本実施形態のものに限定されないが、本実施形態では、ブラケット３は、手すり棒２の両端部と、手すり棒２の中間部とに設けられている。
【００２２】
以下に詳述するが、本実施形態に係るブラケット３は、壁面Ｗと手すり棒２との距離を自在に調節可能に構成されている。そのため、図１に示すように、壁面Ｗに凹凸がある場合であっても、ブラケット３の壁面Ｗに略直交する方向の長さＸを調節することにより、手すり棒２を撓ませることなく壁面Ｗに平行に取り付けることができる。
【００２３】
なお、手すり棒２の両端部に設けられたブラケット３と、手すり棒２の中間部に設けられたブラケット３とは、手すり棒２を支持する部分の形状が異なる以外、ほぼ同様の構成をしている。よって、以下、手すり棒２の中間部に設けられたブラケット３について詳述し、手すり棒２の両端部に設けられたブラケット３については詳細な説明は省略することとする。
【００２４】
《ブラケット３の構成》
図２に示すように、ブラケット３は、壁面Ｗ（図１参照）に取り付けられる台座４と、手すり棒２を支持すると共に、台座４にスライド自在に支持されるブラケット本体５とを備えている。
【００２５】
−台座４の構成−
台座４は、壁面Ｗ（図１参照）に取り付けられる台座本体６と、カバー７とを備えている。
【００２６】
図３は台座本体６の側面断面図である。図４は台座本体６の背面図であり、図５は台座本体６を背面側から視た斜視図である。図３に示すように、台座本体６は、壁面Ｗ（図１参照）に取り付けられる接触面８を有する座部９と、座部９に連続し、接触面８に略直交する方向に延びる筒部１０とを備えている。筒部１０には、半径方向に延びるねじ穴１７が設けられている。図２に示すように、筒部１０は略円筒形状に形成されており、断面略円形の孔２１が形成されている。
【００２７】
図３、図４および図５に示すように、筒部１０の内周面には、軸方向に関し、壁面Ｗ（図１参照）と反対側に位置する表側端１１ｃから壁面（図１参照）側に位置する裏側端１１ｄにまで延びる第１の溝３１が形成されている。第１の溝３１は、本実施形態では４本形成されている。また、４本の第１の溝３１は、それぞれ筒部１０の周方向に等間隔（略９０度間隔）に配置されている。
【００２８】
また、筒部１０の内周面には、軸方向に関し、裏側端１１ｄから裏側端１１ｄと表側端１１ｃとの間の中途部まで延びる第２の溝３２が設けられている。第２の溝３２は、第１の溝３１と同数本（４本）形成されている。当該４本の第２の溝３２は、第１の溝３１と同様に、筒部１０の周方向に等間隔（略９０度間隔）に配置されており、かつ、４本の第１の溝３１を略４５度回転させた位置に配置されている。
【００２９】
このような孔２１と第１の溝３１および第２の溝３２により、筒部１０には、筒部１０の軸方向の途中で横断面の輪郭形状が変化する孔１１が形成されることとなる。具体的には、当該孔１１は、断面略円形の孔２１と４本の第１の溝３１とにより形成される表側の孔１１ａと、断面略円形の孔２１と４本の第１の溝３１と４本の第２の溝３２とにより形成される裏側の孔１１ｂとにより構成される。表側の孔１１ａの輪郭形状は、角が丸まった略正方形状に形成されている（図２参照）。一方、裏側の孔１１ｂの輪郭形状は、外側の角が丸まった略正八角形状に形成されている（図５参照）。
【００３０】
−ブラケット本体５の構成−
図６はブラケット本体５の側面図であり、図７はブラケット本体５の背面図である。図６に示すように、ブラケット本体５は、手すり棒２を支持するための受け部１２と、受け部１２を支持するアーム部１３とを備えている。受け部１２の形状は何ら限定されないが、本実施形態では、受け部１２は手すり棒２を挿通可能な様に、略円筒形状に形成されている。
【００３１】
アーム部１３は、受け部１２と連続しており、受け部１２と一体に形成されている。なお、受け部１２はアーム部１３と別体に形成されていてもよい。アーム部１３の先端側には、平面視において手すり棒２と略直交する方向に延びる軸部１４（図１参照）が形成されている。
【００３２】
軸部１４は、輪郭形状が略円形状となるように形成されている。また、軸部１４の軸方向長さは、筒部１０の軸方向長さよりも長く形成されている。軸部１４の先端部１４ａには、軸部１４の外周面から径方向外側へ突出する４つの突出部１５ａが形成されている。４つの突出部１５ａは、軸部１４の外周に沿って等間隔（本実施形態では略４５度）に配置されている。本実施形態では、４つの突出部１５ａは、一体に形成されて一つのフランジ１５を構成している。なお、先端部１４ａとは軸部１４の先端付近を指し、先端だけでなく先端から僅かに受け部１２側にずれた部分も含まれることとする。
【００３３】
図７に示すように、フランジ１５は、台座４の筒部１０の孔１１に挿通自在なように、表側の孔１１ａの輪郭形状と同様の輪郭形状を有している。すなわち、フランジ１５は、角が丸まった略正方形状に形成されている。また、フランジ１５の各辺は、アーム部１３の中心軸から略４５度傾いている。なお、フランジ１５および軸部１４には、輪郭形状が略円形状の長孔１６が形成されている。
【００３４】
以上がブラケット３の構成である。次に、ブラケット３の台座４およびブラケット本体５の組み立て方法について説明する。
【００３５】
図２に示すように、台座４にブラケット本体５を組み立てる際には、ブラケット本体５を軸部１４の軸回りに回転させてフランジ１５の向きを台座４の表側の孔１１ａに合わせる。そして、フランジ１５が孔１１の裏側端１１ｄ（図３参照）を通過するまで、アーム部１３の軸部１４を孔１１に挿入する（図８参照）。このとき、フランジ１５の各突出部１５ａは、４本の第１の溝３１に相対回転不能に係合され、４本の第１の溝３１に沿ってスライド移動する。
【００３６】
フランジ１５が孔１１の裏側端１１ｄを通過し、外部に至ったところで、ブラケット本体５の軸部１４を孔１１内で略４５度回転させて、フランジ１５の向きを変える（図９参照）。そして、各突出部１５ａを、筒部１０の４本の第２の溝３２に係合させる。
【００３７】
その状態でブラケット本体５を台座４の裏側端１１ｄから表側端１１ｃ（図３参照）に向かって引っ張ると、フランジ１５は裏側の孔１１ｂ内に挿入される（図１０参照）。ここで、フランジ１５と裏側の孔１１ｂとは、互いに対応した略正八角形に形成されているので、フランジ１５が裏側の孔１１ｂ内に挿入された状態では、フランジ１５の回転は阻止される。したがって、台座４に対するブラケット本体５の回転が防止される。
【００３８】
次に、ブラケット本体５を台座４に対してスライド移動させ、台座４に対するアーム部１３の突出長さを微調整する。なお、台座４の筒部１０内には４本の第２の溝３２によって４つの段差部３３（図５参照）が形成されている。そのため、フランジ１５は段差部３３によって、段差部３３より表側にスライドしない様に規制される。このような構成により、ブラケット本体５を引っ張りすぎた場合であっても、ブラケット本体５が台座４から抜けることを防止することができる。
【００３９】
そして、台座４に対するアーム部１３の突出長さを微調整した後、ねじ穴１７にねじ２２（図３参照）を挿入して締め付け、ブラケット本体５のアーム部１３を台座４に固定する。これにより、ブラケット本体５が台座４に対するスライド移動が規制されることとなる。このようにして、台座４に対してブラケット本体５が組み立てられる。
【００４０】
以上のように、本実施形態に係る手すり棒２用のブラケット３では、アーム部１３の先端側に設けられた突出部１５ａが、筒部１０の第２の溝３２と軸方向にスライド自在に係合するように形成されている。このような構成により、突出部１５ａを第２の溝３２に沿って軸方向にスライドさせると、ブラケット本体５が台座４に対して軸方向にスライド移動する。これにより、ブラケット３は、軸方向長さを自在に調整可能に構成されることとなる。そのため、本ブラケット３によれば、ブラケットの出幅（受け部１２と壁面Ｗとの平面視における距離）を自在に調整することが可能となる。そのため、本ブラケット３によれば、手すり棒２を取り付ける壁面Ｗに凹凸があっても、手すり棒２と壁面Ｗとの距離を自在に調節し、手すり棒２を曲げることなく壁面Ｗと平行に取り付けることができる。
【００４１】
また、本ブラケット３では、アーム部１３の軸部１４の先端部１４ａに設けられた突出部１５ａは、第１の溝３１または第２の溝３２と回転不能に係合する。そのため、突出部１５ａを、第１の溝３１または第２の溝３２に係合させることにより、ブラケット本体５の台座４に対する相対回転を規制することができる。これにより、例えば、人が手すり棒２に寄りかかり、アーム部１３に大きな回転モーメントがかかった場合であっても、アーム部１３が回転することを規制することができる。したがって、本ブラケット３によれば、手すり棒２を安定させることが可能となり、手すり棒２を安全に支持することができる。
【００４２】
また、本ブラケット３によれば、第２の溝３２は、筒部１０の裏側端１１ｄから表側端１１ｃと裏側端１１ｄとの間の中途部までしか形成されておらず、表側端１１ｃまでは至らない。そのため、筒部１０の表側端１１ｃと裏側端１１ｄとの間の中途部には第２の溝３２の終端部によって段差部３３が生じることとなる。これにより、突出部１５ａを第２の溝３２に係合させた場合、突出部１５ａは軸方向にスライド自在であるが、当該段差部３３によって段差部３３より表側へスライド移動しない様に規制される。したがって、本ブラケット３によれば、簡単な構成により、出幅を調整することができ、かつ、ブラケット本体５が筒部１０から抜けることを防止することができる。
【００４３】
なお、本ブラケット３には、筒部１０の表側端１１ｃから裏側端１１ｄに渡って形成された第１の溝３１が形成されている。また、筒部１０は裏側端１１ｄおよび表側端１１ｃのいずれもが開口している。このような構成により、まず、突出部１５ａを第１の溝３１と係合させて筒部１０の表側端１１ｃから裏側端１１ｄまでスライド移動させた後、一旦、筒部１０の裏側端１１ｄから外部へ押し出してアーム部１３を回転させることで、突出部１５ａを第２の溝３２に係合させることができる。このようにして、本ブラケット３によれば、突出部１５ａを第１の溝３１、第２の溝３２の順に係合させることにより出幅調整が可能となり、また、ブラケット本体５が筒部１０から抜けることを防止することができる。
【００４４】
本ブラケット３では、突出部１５ａが複数（４つ）設けられており、突出部１５ａと係合する第１の溝３１および第２の溝３２が、それぞれ突出部１５ａと同数（４本）形成されている。そのため、複数の突出部１５ａと、複数の第１の溝３１または第２の溝３２とが係合することによりブラケット本体５と筒部１０との相対回転がより規制される。これにより、アーム部１３に大きなモーメントがかかった場合であっても、より安定的に手すり棒２を支持することが可能となる。したがって、本ブラケット３によれば、手すり棒２をより安全に支持することができる。
【００４５】
また、本ブラケット３では、４つの突出部１５ａが一体的に構成されて略正方形状のフランジ１５が形成されている。そのため、本ブラケット３では、略正方形状のフランジ１５が、４本の第１の溝３１または４本の第２の溝３２と係合することとなり、ブラケット本体５が筒部１０にバランスよく支持される。したがって、本ブラケット３によれば、手すり棒２をより安全に支持することができる。
【００４６】
なお、本実施形態では、軸部１４の先端部１４ａに突出部１５ａが４つ、筒部１０の内周面に第１および第２の溝３１，３２がそれぞれ４本ずつ形成されている場合について説明したが、ブラケット３はこのような形態に限定されない。例えば、図１１に示すように、突出部１５ａが１つ、第１の溝３１および第２の溝３２がそれぞれ１本ずつ設けられたものであってもよい。
【００４７】
また、突出部１５ａは、４以外の複数個、例えば図１２に示すように、３つ設けられていてもよい。この場合、第１の溝３１および第２の溝３２を、それぞれ突出部１５ａと同数個（３本）ずつ形成することが必要となる。いずれの場合であっても、上述の効果と同様の効果を奏することが可能である。
【００４８】
また、本実施形態では、４つの突出部１５ａは一体に形成され、１つのフランジ１５を形成していたが、図１３に示すように分離された形状に形成されていてもよい。
【産業上の利用可能性】
【００４９】
以上説明したように、本発明は、壁面に手すりを設置するための手すりブラケットについて有用である。
【図面の簡単な説明】
【００５０】
【図１】本実施形態に係る手すりの平面図である。
【図２】本実施形態に係るブラケットの構成図である。
【図３】台座本体の側面図である。
【図４】台座本体の背面図である。
【図５】台座本体を背面から視た斜視図である。
【図６】ブラケット本体の側面図である。
【図７】ブラケット本体の背面図である。
【図８】組立時におけるブラケット本体および台座の斜視図である。
【図９】組立時におけるブラケット本体および台座の斜視図である。
【図１０】組立時におけるブラケット本体および台座の斜視図である。
【図１１】変形例に係るブラケット本体の一部と台座を示す斜視図である。
【図１２】変形例に係るブラケット本体の一部と台座を示す斜視図である。
【図１３】変形例に係るブラケット本体の一部と台座を示す斜視図である。
【符号の説明】
【００５１】
１      手すり
２      手すり棒
３      ブラケット（手すりブラケット）
４      台座
５      ブラケット本体
６      台座本体
９      座部
１０    筒部
１１    孔
１１ａ  表側の孔（表側孔）
１１ｂ  裏側の孔（裏側孔）
１１ｃ  表側端
１１ｄ  裏側端
１２    受け部
１３    アーム部
１４    軸部
１４ａ  先端部
１５    フランジ
１５ａ  突出部
２１    孔
２２    ねじ（固定具）
３１    第１の溝（取り付け溝、第１の溝）
３２    第２の溝（取り付け溝、第２の溝）
３３    段差部
【図１】
2008202340.tif 000003
【図２】
2008202340.tif 000004
【図３】
2008202340.tif 000005
【図４】
2008202340.tif 000006
【図５】
2008202340.tif 000007
【図６】
2008202340.tif 000008
【図７】
2008202340.tif 000009
【図８】
2008202340.tif 000010
【図９】
2008202340.tif 000011
【図１０】
2008202340.tif 000012
【図１１】
2008202340.tif 000013
【図１２】
2008202340.tif 000014
【図１３】
2008202340.tif 000015